【事件の表示】
　特願２００１−５３２４０１「情報配信装置、同方法および同プログラムを記録したコンピュータ読取可能な記録媒体」拒絶査定不服審判事件〔平成１３年　４月２６日国際公開、ＷＯ０１／２９６７５〕について、次のとおり審決する。
【結　論】
　本件審判の請求は、成り立たない。
【理　由】
第１．手続の経緯 
　本願は、平成１２年１０月１７日（優先権主張平成１１年１０月１８日、日本国）を国際出願日とする出願であって、平成１６年８月１６日付で拒絶査定がなされ、これに対し、同年９月２２日に拒絶査定不服審判がなされたものである。
 　 
第２．本願発明について 
　
１．本願発明
　本願の請求項９に係る発明（以下、「本願発明」という。）は、出願当初明細書の請求項９に記載された事項により特定される、以下のとおりのものである。 
　
「【請求項９】　ネットワーク端末からの接続要求を受けて該端末と被接続端末間のインスタントメッセージングを可能とし、予め登録されている前記各端末の加入者属性を解析してネットワークサーバー内部に蓄積された広告又はニュースその他の情報を選定し、前記端末のオンライン接続中、連続的にまたは間欠的に当該情報を各端末に配信するプログラムを記録したコンピュータ読取可能な記録媒体。」
　
２．刊行物の記載
　
　刊行物１記載発明 
　原査定の拒絶の理由（平成１５年８月１４日付け拒絶理由通知書）に引用された雑誌（INTERNET magazine No.58，日本，株式会社インプレス，１９９９年９月２９日発行（なお、本件雑誌には１９９９年１１月１日発行と記載されているが、本件雑誌の前号の「INTERNET magazine No.57 」の第４８０頁の「ＮＥＸＴ　次号予告」によれば、本件雑誌の発売日は１９９９年９月２９日である。また、特許庁情報館受入日は１９９９年１０月１日であり、何れにしても、本件雑誌が本願優先日前に発行された物であることは明らかである。） p206-211「今、インスタントメッセージが新しい！」、以下、「刊行物１」という。）には、以下の事項が記載されている。
　
「遠く離れた場所にいても、即座にコミュニケーションが取れるのがインターネットの醍醐味だ。しかし、この利点をだれもが活用できる仕組みは今までなかった。ＷＷＷブラウザーはサーバーにあらかじめ置いてあるファイルを取ってくるだけのものだし、電子メールもサーバーに保管されたメッセージを定期的に取ってくるだけだ。−方、リアルタイムなコミュニケーションにはＩＲＣなどのチャットがあるが、慣れない人にはとっつきにくい。
　インスタントメッセージには、これまでのサービスにはない２つの大きな特徴がある。メッセージを交換したい相手が今インターネットに接続しているかどうかが一目でわかること。そして、接続しているならその場でダイレクトにメッセージを交換できること。また、特定のプロバイダーやソフトウェアにお金を払う必要はなく、だれでも手軽に始められる。そうした理由で、新しいサービスとして注目され、多くの人が使い始めたのだ。」（第２０７頁上段左欄第１行乃至第２２行）
　
「メッセージサービスのサーバーは、だれがオンラインでだれがオフラインかを教えてくれる。メッセージは、サーバーを経由せずにパソコンからパソコンヘダイレクトに送られる（サーバーを経由する場合もある）。」（第２０７頁上段右欄第１行乃至第３行）
　
　「メッセージサービスに登録しよう
　インスタントメッセージはソフトをインストールしただけでは利用できない。サービスに登録してＩＤや番号をもらう必要がある。ここでは代表的な４つのソフトとサービスの登録先を紹介しよう。特徴をよく調ぺて、自分にぴったりなものを見つけてほしい。」（第２０８頁上段第１行乃至第５行）
　
　「一番人気のＩＣＱ
　ＩＣＱはインスタントメッセージのブームを作ったソフトだ。世界で何千万ものユーザーが愛用している。ＩＣＱさえあれば、すぐにメッセージソフトの楽しさが味わえる。
　ＩＣＱは英語版しかないため、英語が苦手な人は使いこなすのが難しいかもしれない。日本語のメッセージもやり取りできるが、チャット画面など、どうしても文字が化けてしまう機能がいくつかある。また、ウィンドウズ版には覚えきれないほどの機能が追加されており、かえって使いづらいことがある。
　ＩＣＱのインストールは、インスト−ルプログラムを起動して「Ｃｏｎｔｉｎｕｅ」や「Ｎｅｘｔ」ボタンを押していくだけでいい。インストール後にＩＣＱを起動すると、ＩＣＱナンバーを取る（サービスに登録する）ための画面が表示されるので、あらかじめインターネットに接続しておこう。」（第２０８頁中段左欄第１行乃至中欄第８行）
　　
　これらの記載によれば、刊行物１には、次の発明（以下、「刊行物１記載発明」という。）が記載されているものと認められる。 
　
「あらかじめインターネットに接続しておき、サービスに登録してＩＤや番号をもらうインスタントメッセージサービスであって、インスタントメッセージサービスのサーバーは、だれがオンラインでだれがオフラインかを教えてくれ、メッセージは、サーバーを経由せず（サーバーを経由する場合もある）パソコンからパソコンヘダイレクトに送信される、メッセージサービス。」
　
　刊行物２の記載
　原査定の拒絶の理由（平成１５年８月１４日付け拒絶理由通知書）に引用された特開平１１−１６１５８８号公報（平成１１年６月１８日出願公開。以下、「刊行物２」という。）には、Ｗｅｂ上におけるリアルタイム情報取得・発信・共有システムに関して、図面と共に、以下の事項が記載されている。
　
【０００９】（登録作業）利用者は予め、サーバー１０への登録のため、端末２０の入力手段２１によってサーバー１０に利用者の個人情報を提供する。
【００１０】その際、サーバー２０は提供された個人情報をデータベース１１に蓄積し、パスワードを発行する。
【００１１】また、登録の際、利用者の嗜好に合った情報をリアルタイムに発信するシステムを構築するため、利用者が提供する個人情報に趣味（嗜好）を含ませる。これにより、図４に示すように、サーバー１０は利用者名のリスト１２に対応して、利用者名Ａ、Ｂ…毎に提供された趣味情報１３を個人情報データベース１１に蓄積する。更に、サーバー１０は各趣味情報１３に対応して発信すべき情報１４を分類し、分類別情報データベース１５に蓄積する。
【００１２】（認証作業）利用者はサーバー１０の利用に際し、認証のため図２に示すように、端末２０の入力手段２１により、登録時に取得したパスワードをサーバー１０に送る。
【００１３】サーバー１０は送られてきたパスワードから利用者が登録されたものか否か判断し、登録されたもの（ＯＫ）であれば、端末２０の情報取得・発信・共有システム２２に、Ｗｅｂコンテンツ上で動作可能なプログラムが含まれるページを表示する。
【００１４】（利用者同士のリアルタイム情報共有）認証後、図３に示すように、一人の利用者Ａがその端末２０から情報を発信することができる。情報を発信すると、この発信した情報は端末２０から上記プログラムによりサーバー１０へ転送される。
【００１５】サーバー１０は受け取った情報を、現在ログインしている利用者Ｂ、Ｃ…全ての端末２０に対して転送する。これにより、利用者同士のリアルタイムの情報共有が達成される。図３では、例として、情報の転送にＴＣＰ／ＩＰネットワークが利用されている。
【００１６】（利用者の嗜好毎のリアルタイム情報発信）利用者の嗜好毎にリアルタイムに情報を発信する場合、図４に示すように、サーバー１０は、まず、現在接続されている各利用者の趣味情報１３を利用者名リスト１２を参照して取得し、次いで、各利用者の趣味情報１３を参照して情報源が貯蓄された分類別データベース１５より各利用者の嗜好に該当する情報を取得する。そして、サーバー１０は個々の利用者の端末２０へ該当する情報を実質的に同時に発信する。これにより、利用者の嗜好毎のリアルタイムの情報発信が達成される。
　
【００２３】さて、利用者がチャットのページにアクセスすると、チャットアプリケーションが起動し、図５に示すようなチャットのトップページ２３を利用者端末２０のＷｅｂブラウザに表示する。
【００２４】トップページ２３には、汎用チャットを行うためのチャットエリア２３ａと、チャット参加者を表示する参加者リストエリア２３ｂと、汎用ターゲットの広告を表示する広告エリア２３ｃと、ジャンル別のチャットホームページへのハイパーリンクを張ったハイパーリンクエリア２３ｄがある。ハイパーリンクエリア２３ｄにはジャンル別チャットホームページを選択するための複数のボタン２３ｅがある。　
　
【００２７】（利用者の嗜好に合ったリアルタイムの広告提供）次に、広告提供について説明する。トップページ２３が表示されている場合は、上述した利用者の嗜好毎のリアルタイム情報発信機能により、予め当該利用者から取得した趣味情報１３に基づく嗜好に合った広告情報をサーバー１０が取得し、広告エリア２３ｃに広告を表示する。
　
　これらの記載によれば、刊行物２には、次の発明（以下、「刊行物２記載発明」という。）が記載されているものと認められる。 　
　
　「予め利用者から取得した利用者の嗜好に合った情報をリアルタイムの広告を表示するチャットシステムであって、サーバと、複数の利用者端末が通信回線で接続され、サーバーは、データベースに蓄積した情報から、現在接続されている各利用者の趣味情報を取得して、各利用者へ嗜好に合った広告等の情報を発信し、利用者端末には、チャットのトップページとしてチャットエリアと、参加者リストエリアと、広告エリアが表示され、ある利用者がメッセージを入力すると、選択した人全てにサーバからメッセージが送られ、広告エリアには、リアルタイムに利用者の嗜好に合った広告等の情報が表示される、チャットシステム。」
　
３．対比
　
　本願発明と刊行物１記載発明とを比較すると、刊行物１記載発明の「パソコン」は、インターネットに接続し、メッセージがサーバーを経由せずにパソコンからパソコンヘダイレクトに送られるから、本願発明の「ネットワーク端末」および「被接続端末」に相当する。
　
　また、刊行物１記載発明の「インスタントメッセージサービスのサーバー」は、メッセージを交換したい相手が今インターネットに接続しているかどうかが一目でわかるように、だれがオンラインでだれがオフラインかを教えて、インスタントメッセージのメッセージサービスを行うから、本願発明の「ネットワーク端末からの接続要求」を行う構成および「インスタントメッセージングを可能と」した「プログラムを記録したコンピュータ読取可能な記録媒体」を備えている。
　
　したがって、両者の発明の一致点、相違点は以下のとおりである。
　
［一致点］　
　「ネットワーク端末からの接続要求を受けて該端末と被接続端末間のインスタントメッセージングを可能としたプログラムを記録したコンピュータ読取可能な記録媒体」である点。
　
［相違点］
　本願発明のプログラムが、予め登録されている前記各端末の加入者属性を解析してネットワークサーバー内部に蓄積された広告又はニュースその他の情報を選定し、前記端末のオンライン接続中、連続的にまたは間欠的に当該情報を各端末に配信しているのに対し、刊行物１記載発明は、そのような記載がない点。
　
４．判断　
　
　刊行物２記載発明の「利用者の趣味情報」は、予め利用者から取得した情報であるから、本願発明の「予め登録されている各端末の加入者属性」に相当する。
　
　また、刊行物２記載発明の「データベースに蓄積した情報」は、本願発明の「ネットワークサーバー内部に蓄積された情報」に相当する。
　
　また、刊行物２記載発明の「各利用者へ嗜好に合った広告等の情報を発信」することは、ある利用者がメッセージを入力すると、選択した人全てにサーバからメッセージが送られ、広告エリアには、リアルタイムに利用者の嗜好に合った広告等の情報が表示されるから、刊行物２記載発明は、本願発明の「端末のオンライン接続中、広告等の情報を各端末に配信するプログラム」を備えている。
　
　したがって、刊行物２記載発明を本願発明の言葉で表現するならば、
　「予め登録されている各端末の加入者属性を解析してネットワークサーバー内部に蓄積された情報を選定し、端末のオンライン接続中、広告等の情報を各端末に配信するチャットシステム。」
　であるといえる。
　
　そうすると、刊行物１記載発明のインスタントメッセージングのサービスは、刊行物２記載発明のチャットシステムと同様にインターネット上でリアルタイムなコミュニケーションを図る技術という点で共通しているから、刊行物１記載発明のインスタントメッセージングのサービスにおいて、予め登録されている各端末の加入者属性を解析してネットワークサーバー内部に蓄積された情報を選定し、端末のオンライン接続中、広告等の情報を各端末に配信することは当業者が容易になし得ることであり、そして、広告等の複数の情報をどのように配信するかは設計事項にすぎず、連続的あるいは間欠的に配信することも一般的な事項であって格別の困難性はないから、刊行物１記載発明のインスタントメッセージングのサービスに刊行物２記載発明の技術を適用して本願発明のように構成することは当業者が容易になし得ることである。
　
　そして、本願発明の構成を採用することによる作用効果も、刊行物１記載発明、刊行物２記載発明から当業者が予測できる範囲のものである。　
　
　したがって、本願発明は、刊行物１記載発明、刊行物２記載発明に基づいて、当業者が容易に発明をすることができたものである。
　
第３．むすび
　以上のとおり、本願発明は、刊行物１記載発明、刊行物２記載発明に基づいて、当業者が容易に発明をすることができたものであるから、特許法第２９条第２項の規定により特許を受けることができない。
　
　したがって、本願は、その余の請求項について論及するまでもなく、拒絶すべきものである。
　
　よって、結論のとおり審決する。